(57)【要約】【課題】本発明はホストシステムのケージからプラガブル光トランシーバを抜去するための新たな解除機構を開示する。【解決手段】トランシーバは、光レセプタクルと、ケージの係止穴へラッチするフックを備えたアクチュエータと、レセプタクルの前で回転するように装着されたベールと、リリースボタンとを含む。ベールを回転するか、またはリリースボタンを押すと、アクチュエータにシーソー運動を起こし、フックを係止穴からはずし、トランシーバがレセプタクル前にあるベールを摘んでケージから抜去できる。【選択図】図１
2008257235.tif 000002
【特許請求の範囲】
【請求項１】
ホストシステムに実装されて係止穴を備えたケージへの着脱が可能なプラガブル光トランシーバであって、
光コネクタを収容する光レセプタクルと、該光レセプタクルに装着されたアクチュエータ、ベール、及びリリースボタンと、を備え、
前記アクチュエータはフックを有するフック部と、支持部と、第１のアーチ面を有する本体部とからなり、前記フック部と前記本体部は前記支持部を軸としたシーソー運動をすることにより前記フックと前記ケージの係止穴とを係合させ、かつ前記フックを前記係止穴から脱着させ、
前記ベールは一対の脚と該脚とを連結するブリッジを含み、該脚は軸穴とカム突起を有し、該カム突起は、前記軸穴を中心とした前記ベールの回転に連動して、前記アクチュエータの前記第１アーチ面上をスライドし前記アクチュエータのシーソー運動を誘起し、
前記リリースボタンは、該ボタンが押された時、前記アクチュエータの本体部に潜り込み、前記アクチュエータのシーソー運動を誘起し、前記カム突起を押して前記ベールの前記回転運動を誘起する、ことを特徴とするプラガブル光トランシーバ。
【請求項２】
請求項１に記載のプラガブル光トランシーバであって、前記リリースボタンは、押圧部と、作動部とを含み、
前記押圧部は、前記ベールの前記カム突起と当接する面を備え、
前記作動部は、前記アクチュエータの前記本体部に潜り込む斜面を含むことを特徴とするプラガブル光トランシーバ。
【請求項３】
請求項２に記載のプラガブル光トランシーバであって、前記リリースボタンの前記作動部は、一対の弾性梁と一対の開口部をさらに含み、
前記弾性梁は先端に突起を備え、前記開口部の中に突設されており、
前記光レセプタクル部は、一対のレールとスライド溝を備え、
前記レールは前記作動部の両側端を収容し、
前記スライド溝は前記弾性梁の先端の前記突起を収容し、前記スライド溝はそれぞれ前記弾性梁の前記先端突起と接する第１の側壁面と、第２の側壁面とを有し、
前記第１の側壁面の間隔は一定であり、
前記第２の側壁面の間隔は、前記リリースボタンを押すと前記弾性梁の前記先端突起が前記第２の側壁面に当接し、前記弾性梁に曲げを生じ、その反発力によって、前記リリースボタンが、前記弾性梁の先端の前記突起と前記第１の側壁面とが当接する初期位置まで自動的に戻るように、前期リリースボタンが押される方向に向かって徐々に小さくなっていることを特徴とするプラガブル光トランシーバ。
【請求項４】
請求項３に記載のプラガブル光トランシーバであって、前記リリースボタンの前記作動部はさらに中央凸部を備え、前記光レセプタクルはさらに前記リリースボタンの該中央凸部を収容する中央凹部を備え、
前記リリースボタンが初期位置にあるとき、前記中央凸部は、前記中央凹部の端部に位置することを特徴とするプラガブル光トランシーバ。
【請求項５】
請求項１に記載のプラガブル光トランシーバであって、前記アクチュエータの前記本体部はさらに前記第１のアーチ面と連続する第２のアーチ面を備え、
前記第１のアーチ面と前記第２のアーチ面とは、それぞれ異なる曲率を有し互いの境界に隆起を形成し、
前記ベールの前記カム突起は、前記隆起を乗り越える時にスナップアクションを起こしつつ前記アクチュエータの前記第１のアーチ面と前記第２のアーチ面をスライドすることを特徴とするプラガブル光トランシーバ。
【請求項６】
請求項１に記載のプラガブル光トランシーバであって、前記ベールの前記脚は段差を有し、前記光レセプタクルは前記ベールの前記段差の断面に対応した形状の凹部を備え、
前記ベールが初期位置にあるときに、前記段差は前記凹部内に挿入されることを特徴とするプラガブル光トランシーバ。
【請求項７】
請求項６に記載のプラガブル光トランシーバであって、前記アクチュエータはさらに第３のアーチ面を備え、
前記光レセプタクルは、前記アクチュエータのシーソー運動を滑らかにするように前記第３のアーチ面に接する円柱面を備えることを特徴とするプラガブル光トランシーバ。
【請求項８】
請求項１に記載のプラガブル光トランシーバであって、前記アクチュエータはさらに前記本体部から前記フック部に向かって伸びる弾性部をさらに備え、
前記弾性部は前記本体部の主面と所定の角度を為していることを特徴とするプラガブル光トランシーバ。
【請求項９】
請求項８に記載のプラガブル光トランシーバであって、前記弾性部と前記アクチュエータの前記主面との前記角度は、前記アクチュエータが前記レセプタクルに装着されたときに、前記アクチュエータが所定の初期位置に自動的に戻る反発力を生じることを特徴とするプラガブル光トランシーバ。
【請求項１０】
請求項１に記載のプラガブル光トランシーバであって、前記ベールの前記カム突起はさらにガードと凹部を含み、前記アクチュエータはガードとガイド溝を含み、
前記ベールの前記凹部は前記アクチュエータの前記ガードを収容し、
前記アクチュエータの前記ガイド溝は前記ベールの前記ガードを収容することを特徴とするプラガブル光トランシーバ。
【発明の詳細な説明】
【技術分野】
【０００１】
本出願は、本出願人の「Releasing mechanism of pluggable transceiver」と題する2005年4月29日出願の米国特許出願第11/117,695号、「RELEASING MECHANISM OF PLUGGABLE TRANSCEIVER FROM CAGE」と題する2006年3月8日出願の米国特許出願第11/372,230号に関連するものである。
【０００２】
本発明は、ケージと着脱可能なプラガブル光トランシーバの機構に関する。
【背景技術】
【０００３】
いわゆるプラガブル光トランシーバは、ホストシステムのケージに挿入される。ケージは、一端に装置の外部に向かった開口部を有する金属の箱である。このケージは、ホストシステム上の電気コネクタがケージの奥端にセットされ、開口部がホストシステムのフェースパネルから露出するようにホストシステムに搭載される。この様に、プラガブル光トランシーバはホストシステムのフェースパネル側からケージに挿入されて、プラガブル光トランシーバの後方端に備えられている電気コネクタプラグが、ケージの奥端に配置された電気コネクタと係合される。
【０００４】
ホストシステムをシャットダウンすること無くケージとの脱着が可能なプラガブル光トランシーバを、特にホットプラガブル光トランシーバと呼ぶ。プラガブル光トランシーバには、ケージと係止するためのラッチ機構が必要である。光コネクタがプラガブル光トランシーバの光レセプタクルへ接続されているときには光トランシーバをケージから抜去することは不可能にし、光コネクタが光レセプタクルに接続されていないときにだけ、プラガブル光トランシーバをケージから抜去できる機構が求められている。いくつかの先行文献がそのような機構を開示している。
【０００５】
例えば、米国特許番号第7,186,134号では、ワイヤーフレーム状のベールとブロックを組み合わせて構成したラッチ機構を開示している。ブロックの端部に設けたロックピンが、上下に動いてピンがケージに設けられた係止穴から外れる。ベールはつまむためのグリップ部と、前記ブロックの下に潜り込むショルダー部と、グリップ部とショルダー部とを連結するボディ部から成る。
【０００６】
ショルダー部の中央は、ワイヤを内方に曲げてカムを形成し、このカムを含むショルダー部はブロックの下に配置される。ブロックは回動軸を中心にシーソー運動を行う。すなわちベールを回転すると前記カムが溝内で回転し、カムの頭部がレセプタクルを外に向けて押す。この様にブロックがシーソー運動を起こすと、カムからみて回転軸をはさんだ反対側に設けられたロックピンは内側に引き込まれ、ロックピンとケージとの係止は解除する。このトランシーバは、底部からブロックが脱落しないように保持するフィンを備えている。
【０００７】
また米国特許公開番号第2003/0142917号は、別のラッチ機構を開示している。その機構はベールとアクチュエータから成り、ベールはアクチュエータを前後にスライドさせる取手の機能だけを備える。ベールの回転運動はアクチェータの前後運動、もしくは係止用突起の上下運動への変換を行わない。アクチュエータの先端は、トランシーバがケージに挿入され係合された際、トランシーバ本体側に形成された窪みに収容される楔形状を有する。窪みの側面は傾斜しており、ベールを操作してトランシーバをケージから抜去する際に、前記楔がこの傾斜面をスライドしてケージの係止タブを押し上げる。このように、トランシーバの係止用突起と、ケージの係止用タブとの係止が解除される。アクチュエータは、楔が前記窪みに収容されている時をアクチュエータの初期位置とするようにスプリングを備える。
【発明の開示】
【発明が解決しようとする課題】
【０００８】
近年、時にオプティカルハブシステムと呼ばれる新しいシステムが提唱され、このシステムでは多数のプラガブル光トランシーバが縦横に高密度に実装される。例えば、４８チャンネル伝送システムでは上下２列、横方向２４列のプラガブル光トランシーバが並べて実装される。このような装置では、着脱したいプラガブル光トランシーバの周りに、光コネクタが接続されたプラガブル光トランシーバが並んでいるとこれらが邪魔となって、目的のプラガブル光トランシーバのベールを摘む、あるいは、回す操作をして、抜去することは困難である。
【０００９】
本発明は、多数のケージが高密度に配置され、かつ、かつ各ケージに光コード付きコネクタが装着されたプラガブル光トランシーバが収容されていても、目的のプラガブル光トランシーバを容易に抜去できる機構を提供するものである。
【課題を解決するための手段】
【００１０】
本発明のトランシーバは、光レセプタクルと、アクチュエータと、ベールと、リリースボタンとを備える。これらアクチュエータ、ベールおよびリリースボタンは光レセプタクルに組立てられている。アクチェータは、フック部、支持部、本体部を含み、フック部と本体部とは、支持部を軸とするシーソー運動を行う。フック部はその先端にケージの係止穴に係合されるフックを有し、本体部は第１のアーチ面を備える。
【００１１】
ベールは一対の脚とそれらを連結するブリッジを有する。脚には軸穴とカム突起を備える。カム突起は、ベールの軸穴を中心とした回転動作に合わせ、第１のアーチ面上をスライドしてアクチュエータのシーソー運動を誘起する。
【００１２】
リリースボタンは、それが押された際、アクチュエータの本体部に潜り込んでこれを押し上げ、その結果、アクチュエータにシーソー運動を生じさせ、同時に、リリースボタンはベールのカム突起を押し、ベールに回転運動を誘起する。
【発明を実施するための最良の形態】
【００１３】
図１は、本発明の一実施例におけるプラガブル光トランシーバ（以下、トランシーバ）の斜視図である。トランシーバ１は、ベール１０とアクチュエータ２０と光レセプタクル３０とカバー４０と接地タブ７０とリリースボタン８０とを備える。ここで、トランシーバ１の光レセプタクル側を前方、その反対側を後方とする。さらに、図１では見えない面、すなわち光レセプタクル３０がアクチュエータ２０を装着する側を下方、その反対側、開放端として描かれている側、を上方とする。このように定義した前後上下方向は、トランシーバがケージに実際に挿着されたときの方向と一致する。
【００１４】
ケージは、ホスト基板上に搭載されており、図１には示していないトランシーバ１の後端にある電気プラグが、ケージの奥端に配置されたホストシステムの電気コネクタに接続するように、トランシーバ１の後方側を収容する。こうしてホストシステムの回路とトランシーバ内の回路とが通信可能となる。ホストシステムの前面パネルは開口を設けており、ケージに挿着されたトランシーバの光レセプタクルは前記開口を通して外部に露出し、光ファイバ付きコネクタは、この開口から光レセプタクルと係合することができる。
【００１５】
レセプタクル３０は、その下面にベール１０とアクチュエータ２０とリリースボタン８０を備える。アクチュエータ２０は、ケージの底面に設けられた係止穴に掛合するフック２３ａを備える。ベール１０はレセプタクル３０の前方で回動するように装着される。ベールが前方へ回転すると、ベール１０が備えるカム突起１１ｂは、アクチュエータ２０の前側を押し下げてアクチュエータ２０のシーソー運動を生じさせ、その結果、アクチュエータ２０の反対側のフック２３ａをトランシーバ本体に引き込み、フック２３ａとケージの係止穴との係合を解除する。
【００１６】
図１に示す構成を有するトランシーバが縦横に高密度に多数配置された光ハブシステムで、目的のトランシーバの周囲のケージにそれぞれトランシーバが収容され、その上、それら周囲のトランシーバに光コネクタが挿着されている状況では、周囲のトランシーバおよびそれらトランシーバに装着された光コネクタがあるため、ケージからトランシーバを引き抜くためにベールを回動することも、回動後にベールを摘むことも困難になる場面にしばしば遭遇する。本発明では、ベールを摘むのが困難となるその種の状況でも、トランシーバ１が、ケージとの係合を解除するベール１０だけでなく、リリースボタン８０を備える。ボタン８０を押すことは、アクチュエータ２０の前部の下降動作を誘発し、これはフック２３ａとケージの係止穴との係合を解除するためのアクチュエータ２０のシーソーオン運動を起こす。
【００１７】
アクチュエータのフック２３ａと、接地タブ７０は、カバー４０の前端部よりも突き出ており、光レセプタクル３０の本体とカバー４０との間にはギャップがある。既述したように、トランシーバ１はケージの係止穴にフック２３ａが掛合してケージ内にセットされる。接地フィンガ４０については、トランシーバ１がケージに適切にセットされた時にケージに接触し、これは、トランシーバの接地電位を安定化させるとともに、トランシーバ１からケージ２への放熱経路を確保する。
【００１８】
本実施例に係るアクチュエータ２０、光レセプタクル３０、リリースボタン８０、ベール１０は樹脂モールドで形成している。ベール１０は金属製であっても構わない。さらに、カバー４０は切削、曲げ、その他の方法で加工してもよい。溶接も接着も用いられていない。次に、付属する図を参照しつつ、ベール１０、アクチュエータ２０、リリースボタン８０、光レセプタクル３０について詳しくのべる。
【００１９】
ａ．アクチュエータ；
図２（Ａ）は本発明の実施例におけるアクチュエータ２０の斜視図である。図２（Ｂ）は下面図であり、図２（Ｃ）はアクチュエータの側面図である。アクチュエータ２０は、概略本体部２１と、支持部２２と、フック部２３と、弾性部２４を備える。本体部２１は、その両側に一対の側部２１ａを備え、ブリッジ２１ｄは側部２１ａを連絡する。弾性部２４は、Ｕ字切り欠き２１ｐに囲まれており、ブリッジ２１ｄから後方へ伸びている。この実施例のアクチュエータ２０は、これらの各部が樹脂で一体に形成されている。
【００２０】
側部２１ａは、ベール１０のカム突起１１ｂにそれぞれ接する複数の面を有する。すなわち、側部２１ａは、その上面に、ガイド溝２１ｂとこのガイド溝２１ｂから膨らんだガード２１ｅを備える。側部２１ａは、さらにガード２１ｅとガイド溝２１ｂとに連なる別の曲面２１ｑを有する。曲面２１ｑとガード２１ｅとの間には小さな隆起を備える。ベール１０は、ベール１０のカム突起１１ｂが曲面２１ｑとガード２１ｅの間の隆起部を乗り越えるときにスナップアクションを起こす。
【００２１】
ガイド溝２１ｂはカム突起１１ｂのガード１１ｃを収容し、一方、ガード２１ｅはカム突起１１ｂの凹部１１ｄに収容される。さらに、アクチュエータ２０は、側部２１ａの後部に、光レセプタクル３０の底面に設けられた凸面３１ｄに向かい合う曲面２２ｂを有する。本明細書で後述する様に、該曲面２２ｂは面３１ｄと接し、同時に、曲面を有するフランジ２２ａが光レセプタクル３０の凹部３１ｏに嵌合し、これにより、光レセプタクルはアクチュエータを組み立てる。すなわち、光レセプタクル３０は、面２２ａと面２２ｂを、面３１ｄと凹部３１ｏとの間に置いてアクチュエータ２０を搭載する。
【００２２】
ブリッジ２１ｄの前部上端は斜面２１ｏを成す様に面取りされている。リリースボタン８０が押されると、リリースボタン８０の斜面８２ｂがこの斜面２１ｏを持ち上げて、アクチュエータ２０のシーソー運動を誘起し、フック２３ａをトランシーバ１の本体に引き込んでとケージとの係止を解除する。
【００２３】
弾性部２４は、本体部の主面２１ｍに対してわずかな角度を為す様に形成される。すなわち、弾性部２４は、突起２４ａが形成された先端部が主面２１ｍから持ち上がる様に、主面２１ｍに対して３．５度の角度で曲げられている。アクチュエータ２０は、弾性部２４が押圧される様に光レセプタクル３０へ装着される。当初の曲げにより起こされる反発力は光レセプタクル３０の凹部３１ｏに吸収される。しかしながら、シーソー運動のためのフランジ２２ａの位置が弾性部２４の根元からずれているため、この反発力が略アクチュエータ２０の前部２１ｃを持ち上げる。すなわち、アクチュエータ２０の前部２１ｃは光レセプタクル３０の底面へ自動的に押しつけられる。このように、側溝２１ｒに設けられた突起２１ｎは、光レセプタクル３０のレール３１ｊに当接し、側溝２１ｒはレール３１ｊを収容する。
【００２４】
弾性部２４の先端は、ブリッジ２１ｄから突設されて支持部２２を越えて、フック部２３まで伸びている。弾性部２４の先端は、T字断面の突起２４ａを備える。この突起２４ａは、光レセプタクルの中央隔壁にある凹部３１ｆへ嵌合することによって、アクチュエータの前後の動きを制限する。さらに、アクチュエータ２０が、その本体部２１と係止部２３とがシーソー運動を行なうとき、突起２４ａと凹部３１ｆとの嵌合は、該シーソー運動への反発力を生じる。従って、フック２３ａとケージの係止穴との係合がはずれるようにアクチュエータ２０にシーソー運動が生じても、アクチュエータ２０は自動的に初期位置へ戻り、そこでは、ベール１０を離す操作によって弾性部２４による反発力によってフック２３ａは最も突き出る。
【００２５】
支持部２２は概ね円筒状の面を有するフランジ２２ａを備える。凹部３１ｏの内壁も円筒状をしているので、光レセプタクル３０の凹部３１ｏへこのフランジ２２ａを収容すると、フランジ２２ａと凹部３１ｏを軸としたアクチュエータ２０のシーソー運動が実現される。
【００２６】
フック部２３の先端はフック２３ａを形成する。このフック２３ａは、トランシーバの後側に緩やかな勾配面２３ｃを有し、一方、フック２３ａの前側は急な勾配面２３ｄを有する。トランシーバ１は、ケージに挿入されたとき、勾配面２３ｃは係止穴を備えた係止タブを押しだして、トランシーバ１の本体をケージへスムースに挿着させる。一方、一旦ケージへ挿入されたトランシーバは、少なくとも本発明の解除機構がなければ、急な勾配面２３ｄと面上の係止穴との引っ掛かりのために抜去することは難しい。フック部２３の上面は、斜面を有する幅広の溝２３ｂを備える。この溝２３ｂは、アクチュエータ２０がトランシーバ１の本体へフック部２３を引き込むシーソー運動を行なうときに、光レセプタクル３０の中央隔壁３２ｄをその中に収容して、シーソー運動の振れ幅を大きくする。
【００２７】
図２（Ｃ）は、アクチュエータ２０の側面図であり、図が明らかに示す様に、側部２１ａが前側に第１の曲率を有する曲面２１ｑと、後側に第２の曲率を有するガイド壁の他の曲面２１ｅを備える。後で述べるように、ベール１０のカム突起１１ｂをこの第１の曲面と第２の曲面、２１ｑと２１ｅ、上をスライドされることが、アクチュエータ２０のシーソー運動を誘起することになる。加えて、側部２１ａはさらに光レセプタクル３０の円筒面３１ｄと接してアクチュエータ２０のシーソー運動をスムースに行わせる第３の曲面２２ｂを備える。
【００２８】
ｂ．光レセプタクル
図３（Ａ）は、本発明実施例の光レセプタクルの下面図である。図３（Ｂ）は、下方から見た光レセプタクルの斜視図である。一方、図３（Ｃ）は、上方から見た斜視図である。図３（Ａ）と図３（Ｂ）に陽に見えている面が、光レセプタクルの底面に対応する。図示した光レセプタクル３０は、これは樹脂成形で作られているが、レセプタクル部３１とＯＳＡ実装部３２と接続部３３を含む。レセプタクル部３１は、それぞれ、光コネクタが接続される送信器用と受信器用の一対の開口３１ａと３１ｂを備える。内側の寸法、すなわち幅と奥行き、と開口間の間隔は光コネクタの規格によって厳密に定められている。
【００２９】
光レセプタクル部３１の側部は、ベール１０の回転軸となる軸突起３１ｃを備える。光レセプタクル部３１の底面は、アクチュエータ２０のフランジ２２ａを収容して、アクチュエータ２０のシーソー運動の軸となる凹部３１ｏを備える。凹部３１ｏは、フランジ２２ａの円筒外形をなぞる半円筒状の内部形状をしている。光レセプタクル部３１の後端は、ベール１０の後端１１ｅが接してベール１０のスナップアクションを生む段差３１ｅを備える。この段差３１ｅはベール１０の回転のストッパとしての機能も有する。
【００３０】
レセプタクル部３１の側部はさらに２つの凹部、３１ｍと３１ｎ、を備える。前者の凹部３１ｍは、カム突起１１ｂと当接してベール１０の回転のストッパとして働く。一方、後者の凹部３１ｎは、ベール１０の脚１１の内側に設けられた段差１１ｇと嵌合して、ベール１０の初期位置を決める。すなわち、凹部３１ｎはほぼ直方体に形成される。一方、ベール１０の脚１１の内面は、ほぼ直方体の段差１１ｇを備える。ベール１０が初期位置、すなわち、ブリッジ１２が開口、３１ａと３１ｂ、の上方にあるとき、ベール１０の段差１１ｇはレセプタクル部３１の凹部３１ｎへ嵌合して、ベールのがたつきを防ぎ、スナップアクションを実現する。
【００３１】
ＯＳＡ実装部３２は、２つの収容部、３２ａと３２ｂ、を備え、これらにはTOSA（Transmitter optical sub-assembly）とROSA（Receiver optical sub-assembly）が実装される。２つの側壁３２ｃと中央隔壁３２ｄが、これら２つの収容部、３２ａと３２ｂ、を形成し、ＯＳＡを保持するために、曲面や突起などの様々な構造がその中に設けられる。中央隔壁３２ｄは、その前端にアクチュエータの弾性部２４の後端に設けられたＴ字形状をした突起２４ａを収容する凹部を備える。さらに、この隔壁３２ｄの厚みは、アクチュエータ２０のフック部２３の幅広溝２３ｂが壁３２ｄを収容できる値に設定される。実装部３２の外側３２ｃは、カバー４０のタブ板と嵌合する突起３２ｆを有する。
【００３２】
接続部３３は、接地フィンガ７０を光レセプタクル３０に組付ける。図１に示すように、接地フィンガ７０は、カバー４０を光レセプタクル３０へ組み立てたあとでさえ、光レセプタクル３０とカバー４０との間のギャップから突き出ており、トランシーバ１をケージに収容したときに、フィンガ７０がケージの壁へ直接接触することが出来て、したがって、トランシーバ１の接地は強化される。この光レセプタクル３０は樹脂で形成されているが、ケージと直接接触している接地フィンガ７０は、接地電位のみならず、ＥＭＩシールド機能も強化する。
【００３３】
本実施例の光レセプタクル３０は機構、すなわち、その底部にリリースボタン８０を保持する構造を備える。その機構は、中央凹部３１ｌ、一対のスライド溝３１ｈと一対のレール３１ｊである。光レセプタクル３０にリリースボタン８０を組み付ける機構と、ボタンの操作とアクチュエータ２０への働きについては後述する。
【００３４】
さらに、レセプタクル部３１の底は、面２２ｂと接してアクチュエータ２０のシーソー運動をスムースにする円筒面３１ｄを備える。円筒面３１ｄの内側は、アクチュエータ２０のフランジ２２ａを収容する凹部３１ｏを備える。
【００３５】
ｃ．ベール；  
図４（Ａ）は、本発明の実施例のベール１０を下方から見た斜視図である。図４（Ｂ）はベール１０の正面図である。ベール１０は、一対の脚１１と、前記脚１１を連結するブリッジ１２を備え、Ｕ形の断面を有する。ブリッジ１２は、その内面に２つの凹部、１２ａと１２ｂ、を備える。これらの凹部、１２ａと１２ｂ、はそれぞれ光レセプタクル３０の開口、３１ａと３１ｂ、に対応しており、ベール１０が初期位置のときに組み合わせて一対の開口を形成する。
【００３６】
それぞれの脚１１は、光レセプタクル３０の軸突起３１ｃが挿通される孔１１ａをその中央に備える。ベール１０は、軸突起３１ｃと孔１１ａとを回転の軸にして回転する。脚１１は、孔１１ａの下側にカム突起１１ｂを備える。ベール１０が回転すると、このカム突起１１ｂはアクチュエータ２０の面、２１ｂと２１ｅと２１ｑ、上をスライドして、アクチュエータ２０のフック２３ａと係止穴との係止解除するシーソー運動を誘起する。
【００３７】
詳しく述べると、カム突起１１ｂは、ガード１１ｃと凹部１１ｄを組み合わせた形状を有する。ガード１１ｃはガイド溝２１ｂに収容され、一方、凹部１１ｄはガード２１ｅを収容する。さらに、カム突起１１ｂのこの複合形状は、ベールがアクチュエータ２０と光レセプタクル３０から脱落することを防ぐ。すなわち、ベール１０が光レセプタクル３０の前方で回転したときでも、ガード１１ｃがガード２１ｅの内面に当接するので、脚１１が外へ広がることを防ぐ。
【００３８】
脚１１の後端１１ｇは、ベール１０が初期位置、そこではベール１０のブリッジ１２が光レセプタクル３０の上側に位置する、にあるときにレセプタクル３０の段差３１ｅに当接する直線形状を有する、脚１１の先端１１ｆはベール１０が最も回転したときに段差３１ｅに当接して、回転ストッパとして機能する。
【００３９】
本実施例のベール１０は、脚１１の内面にほぼ直方体の段差１１ｇを備える。この段差１１ｇ、その平面形状はレセプタクル３０の側部に設けられた凹部３１ｎの断面に対応している、はベール１０が初期位置から回転するときにスナップアクションを生じる。ベール１０が初期位置にあるとき、段差１１ｇは凹部３１ｎへ嵌合している。ベール１０が回転するとき、段差１１ｇは、凹部３１ｎから外れて、その後ベール１０はスムースに回転する。このように段差１１ｇと凹部３１ｎはベール１０のスナップアクションを生じる。
【００４０】
ｄ．リリースボタン
図５（Ａ）と図５（Ｂ）は本発明の実施例のリリースボタン８０の斜視図である。図５（Ａ）は下方から観た図で、一方、図５（Ｂ）は上方から観た図である。リリースボタン８０は、その前方側に押圧部８１、その後方側に作動部を含む。押圧部８１は、ベール１０のブリッジ１２の幅にほぼ対応した幅を有し、光レセプタクル３０の前部形状をなぞる後ろにわずかに引っ込んだ前部と、後部にアーチ面８１ｂとを備える。
【００４１】
ボタン８０を押すことが、フック２３ａをケージの係止穴から解除するアクチュエータ２０のシーソー運動を起こす。ボタンを押すと、押圧部８１の後部のアーチ面８１ｂが、カム突起１１ｂと当接してベール１０の回転を生じる。すなわち、リリースボタン８０は、アクチュエータ２０のシーソー運動だけでなくベール１０の回転も誘起する。
【００４２】
作動部８２は、光レセプタクル３０のレール３１ｊ直下の壁３１ｋの間隔とほぼ等しい幅の主面８２ａと、主面８２ａ上に押圧部８１から連続した複数の斜面、８２ｂと８２ｃ、を備える。中央斜面８２ｃは、側斜面８２ｂから延びており、アクチュエータ２０の前部形状２０ｃをなぞる。リリースボタン８０を押すと、ボタン８０の両側のサイド斜面８２ｂは、アクチュエータ２０の前端の面取りされた端２１ｏに接触しこの上をスライドし、この動作がアクチュエータ２０の前部を押し下げてシーソー運動を起こす。主面８２ａの両端８２ｉは、レセプタクルのレール３１ｊに収容され、このように、リリースボタン８０は上下方向には動かない。
【００４３】
一方、図５（Ｂ）に示すように、上面８２ｅは光レセプタクル３０の中央凹部３１ｌに収容される中央突起８２ｆと、開口８２ｈの中に中央から突き出た一対の弾性片８２ｄとを備える。弾性片８２ｄの端部は突起８２ｇを備える。この弾性片８２ｄは、リリースボタン８０を押すと、突起８２ｇが光レセプタクル３０のスライド溝３１ｈの端部をなぞりつつ、水平方向に曲がり、これがリリースボタン８０に反発力を生じさせる。したがって、ボタン８０を離すと、ボタンは自動的に、中央突起８２ｆの前端がスライド溝３１ｈの前側壁に接する初期位置を回復する。
【００４４】
次に各構成要素の働きについて詳しく述べる。
【００４５】
ｅ．リリースボタンとアクチュエータのシーソー運動
図６（Ａ）から図６（Ｄ）は、リリースボタン８０を押すと生じるアクチュエータ２０のシーソー運動の仕組みを示す。図６（Ａ）と図６（Ｂ）は、リリースボタン８０が初期位置のときの断面である。一方、図６（Ｃ）と図６（Ｄ）は、リリースボタン８０が押されたときの状態を示す。図６（Ｂ）と図６（Ｄ）に示す断面は、図２（Ａ）、図３（Ｂ）、図５（Ａ）に示された線Ａ−Ａ‘にそったものである。
【００４６】
リリースボタン８０が初期位置のとき、これは図６（Ａ）と図６（Ｂ）に示されている、アクチュエータ２０の前端の面取りされた斜面２１ｏは、斜面８２ｂ上にない。この位置では、弾性片８２ｄは、その先端突起８２ｇがスライド溝３１ｈの第１側部３１ｐと接しており、曲げられていない。第１側部３１ｐは、トランシーバ１の長手方向のＸ軸に平行であり、それぞれの溝３１ｈの中の第１側部３１ｐの間隔は弾性片８２ｄの先端の間隔と等しい。
【００４７】
リリースボタン８０を押すと、前部の面取りされた斜面２１ｏがリリースボタン８０の斜面８２ｂ上を動き、これが、アクチュエータ２０の前部を押し下げ、軸２２ａ回りのシーソー運動を起こす。アクチュエータ２０は、曲面２２ｂがレセプタクルの円筒面３１ｄをなぞりつつシーソー運動を起こす。
【００４８】
同時に、リリースボタン８０の弾性片８２ｄは、その先端の突起８２ｄがスライド溝３１ｈの第２側壁３１ｑに当接して曲げられる。それぞれのスライド溝３１ｈの第２側壁３１ｑの間隔が、正確に言うと、この間隔はボタン８０が進むにしたがって狭くなっているので、ボタン８０は常に反発力を受ける。すなわち、ボタン８０を離すと自動的に初期位置へ戻った中央突起８２ｆが、レセプタクル３０の中央凹部の前端にある位置、を回復する。アクチュエータ２０に関しては、弾性部２４が曲げて組み立てられていることが回復力を生じるため、アクチュエータ２０は、リリースボタン８０が元へ戻るのと同時に、自動的に初期位置を回復する。
【００４９】
リリースボタン８０は、その側部８２ｉがレール３１ｊの中をスライドしかつ保持されているため、光レセプタクル３０から外れることはない。
【００５０】
ｆ．リリースボタン、ベールの回転、アクチュエータのシーソー運動
図７（Ａ）〜図７（Ｅ）は、リリースボタン８０と、ベール１０の回転と、アクチュエータ２０のシーソー運動の仕組みを示す。図７（Ａ）に対応する初期位置において、ベール１０は、そのブリッジが、２つの開口、３１ａと３１ｂ、を露出するように光レセプタクル３０の上部にある。ブリッジの内側の２つの凹部、１２ａと１２ｂ、は開口、３１ａ、３１ｂ、に一致し、光コネクタがこれらの開口、３１ａと３１ｂ、へ挿入しやすくする。脚１１の内側の段差１１ｇは、光レセプタクル３０の側部の凹部３１ｎに一致する。
【００５１】
リリースボタン８０を押すと、ボタン８０のアーチ面８１ｂは、脚のカム突起１１ｂへ当接し、カム突起１１ｂを後方へ押し、これが、光レセプタクル３０の軸突起３１ｃ周りの回転モーメントを脚に生じさせる。このように、図７（Ｂ）に示すように、ベール１０は、初期位置から、ブリッジ１２が開口、３１ａと３１ｂ、を隠す方向へ回転を始める。同時に、カム突起１１ｂはアクチュエータ２０の第１のアーチ面２１ｑ上をスライドし始める。
【００５２】
さらにリリースボタン８０を押すと、図７（Ｃ）に示すように、カム突起１１ｂが第１と第２のアーチ面、２１ｑと２１ｅ、の境目の凸部を乗り越え、同時に、脚１１の内側の段差１１ｇは光レセプタクル３０の凹部３１ｎから外れ、ベールの回転のスナップアクションを生じる。この状態は、ボタン８０を離したあとも続き、したがって、ベール１０のブリッジ１２は、開口、３１ａと３１ｂ、の手前で容易に摘める。
【００５３】
リリースボタン８０をさらに押し込むことはできないが、ベール１０は軸突起３１ｃを軸として自由に回転し、カム突起１１ｂは第２のアーチ面上をスムースにスライドする、なぜなら脚１１の段差１１ｇが光レセプタクル３０の凹部３１ｎから外れているからである。ベール１０を連続的に回転すると、図７（Ｄ）に示すように、アクチュエータ２０にシーソー運動を連側的に生じる。ブリッジ１２が開口、３１ａと３１ｂ、の前にくるまでベール１０を回転すると、トランシーバ１をケージから抜去するために、ブリッジ１２を摘む操作が容易になる。
【００５４】
ベール１０の回転は、カム突起１１ｂが光レセプタクル３０の面３１ｍに当接したところで、ストップする。ベール１０のこの位置は、脚１１の先端１１ｆが、レセプタクル３０の段差３１ｅに当接した状態に対応する。
【００５５】
ここまで、リリースボタン８０を押したときにベール１０が回転する場合について述べた。しかしながら、ベール１０の回転は、リリースボタン８０の押すこととは独立していてもよい。すなわち、ブリッジ１２を、図７（Ａ）に示すように、初期位置から前方へ引っ張ることによって、ベール１０は、カム突起１１ｂが第１のアーチ面２１ｑ上をスライドしながら回転できる。ベール１０の回転に連動して、アクチュエータ２０はシーソー運動を開始して、フック２３ａをトランシーバ１の本体側に引き寄せ、フックと係止穴との係止を外す（図７（Ｃ））。ベール１０の動きとアクチュエータ２０の動きは、したがって、リリースボタン８０の位置や状態とは独立している。ベール１０の回転を続けると、ブリッジの操作は前で述べたように容易になる。
【図面の簡単な説明】
【００５６】
【図１】図１は、本発明の実施例のプラガブル光トランシーバの分解図である。
【図２】図２（Ａ）と図２（Ｂ）は、本発明の実施例のアクチュエータの斜視図であり、図２（Ｃ）はアクチュエータの側面図である。
【図３】図３（Ａ）は、本発明の実施例の光レセプタクル部の下面図であり、図３（Ｂ）と図３（Ｃ）はそれぞれ光レセプタクルの下方と上方からの斜視図である。
【図４】図４（Ａ）は、本発明の実施例のベールの下方からの斜視図であり、図４（Ｂ）はベールの正面図である。
【図５】図５（Ａ）と図５（Ｂ）は、本発明の実施例のリリースボタンの下方と上方からの斜視図である。
【図６】図６（Ａ）と図６（Ｂ）は、それぞれ初期位置におけるリリースボタンとアクチュエータの位置関係を示す側面図と平面図であり、図６（Ｃ）と図６（Ｄ）は、ボタンが押されたときのリリースボタンとアクチュエータの位置関係を示す側面図と平面図である。
【図７】図７（Ａ）〜図７（Ｅ）は、リリースボタンとベールとアクチュエータの動作関係を示す図である。
【図１】
2008257235.tif 000003
【図２】
2008257235.tif 000004
【図３】
2008257235.tif 000005
【図４】
2008257235.tif 000006
【図５】
2008257235.tif 000007
【図６】
2008257235.tif 000008
【図７】
2008257235.tif 000009
【外国語明細書】
2008257235.tif 000010
2008257235.tif 000011
2008257235.tif 000012
2008257235.tif 000013
2008257235.tif 000014
2008257235.tif 000015
2008257235.tif 000016
2008257235.tif 000017
2008257235.tif 000018
2008257235.tif 000019
2008257235.tif 000020
2008257235.tif 000021
2008257235.tif 000022
2008257235.tif 000023
2008257235.tif 000024
2008257235.tif 000025
2008257235.tif 000026
2008257235.tif 000027
2008257235.tif 000028
2008257235.tif 000029
2008257235.tif 000030
2008257235.tif 000031
2008257235.tif 000032
2008257235.tif 000033
2008257235.tif 000034
2008257235.tif 000035
2008257235.tif 000036
2008257235.tif 000037
2008257235.tif 000038
2008257235.tif 000039
2008257235.tif 000040
2008257235.tif 000041